(57)【要約】【課題】本発明はコストアップに繋がることなく、簡単な構造で相手物５０と基板２２とのグランドをとることができ、容易に相手物５０をコネクタ本体１２まで誘導することができる電気コネクタ１０を提供する。【解決手段】本目的は複数のコンタクト１４とコンタクト１４が配列・保持されるとともに相手物５０が挿入される挿入口２８を有するハウジング１６とを有するコネクタ本体１２と、コネクタ本体１２の挿入口２８へ相手物５０を誘導する略箱型形状をしたガイドゲージ２０とを備える電気コネクタ１０において、ガイドゲージ２０のコネクタ本体１２側に、ガイドゲージ２０と一体構造をした複数の基板接触用接触片２４及び相手物接触用接触片２６とを設け、基板接触用接触片２４と相手物接触用接触片２６とを交互に櫛歯状に配置することにより達成できる。【選択図】  図１
2007080560.tif 000002
【特許請求の範囲】
【請求項１】
複数のコンタクトと該コンタクトが配列・保持されるとともに相手物が挿入される挿入口を有するハウジングとを有するコネクタ本体と、該コネクタ本体の前記挿入口へ相手物を誘導する略箱型形状をしたガイドゲージとを備える電気コネクタにおいて、
前記ガイドゲージの前記コネクタ本体側に、ガイドゲージと一体構造をした複数の基板接触用接触片及び相手物接触用接触片とを設け、前記基板接触用接触片と前記相手物接触用接触片とを交互に櫛歯状に配置することを特徴とする電気コネクタ。
【請求項２】
前記相手物接触用接触片の先端を逆ヘの字形状の屈曲させるとともに前記基板接触用接触片を基板側に傾かせることを特徴とする請求項１記載の電気コネクタ。
【発明の詳細な説明】
【技術分野】
【０００１】
本発明は、ファイバチャンネルやギガビットインサート（登録商標）等に使用される電気コネクタに関するもので、特に相手物を確実にガイドでき、かつ、簡単な構造で相手物と基板とのグランドをとることができる構造に関するものである。
【背景技術】
【０００２】
従来の電気コネクタは図５のように、少なくとも複数のコンタクトと該コンタクトが配列・保持されるとともに相手物が挿入される挿入口を有するハウジングとを有するコネクタ本体と、該コネクタ本体の前記挿入口へ相手物を誘導する略箱型形状をしたガイドゲージとを備えている。また、図６のように相手物と基板とのグランドをとるためには、別部品として、櫛歯状の湾曲した板状片が用いられ、相手物が挿入されると櫛歯状の接触部が相手物に押されることで板状片の湾曲部が基板に接触することでグランドをとっている。
電気コネクタとしては、本出願人が提案した特許文献１に挙げるようなものがある。
【特許文献１】特開２００５−５６６１５の要約によると、嵌合時のこじりでもシェル１６、１８が変形することなく、破壊するがなく、コネクタ本体２０と同時実装可能なシェル１６、１８の構造を有する電気コネクタ１０を提供することを目的とし、複数のコンタクト１４と、コンタクト１４を固定・配列するハウジング１２と、ハウジング１２を覆い、相手物との嵌合口２２と基板４０に実装する複数の端子部３２とを有し、２分割されたシェル１６、１８とを具える電気コネクタ１０において、一方のシェル１６を略筐体にするとともに嵌合口２２側のシェル１６を一体構造にし、嵌合口２２の反対側にハウジング１２が入る大きさの開口部２３を有し、もう一方のシェル１８を略Ｌ字形状にし、一方のシェル１６の開口部２３に装着するように配置するものが開示されている。  ちなみに、特開２００５−５６６１５の特許請求の範囲には、請求項１として、基板に実装される電気コネクタであって、複数のコンタクトと、該コンタクトを固定・配列するハウジングと、該ハウジングを覆い、相手物との嵌合口と基板に実装する複数の端子部とを有し、２分割されたシェルとを具える電気コネクタにおいて、一方のシェルを略筐体にするとともに嵌合口側の前記シェルを一体構造にし、嵌合口の反対側に前記ハウジングが入る大きさの開口部を有し、もう一方のシェルを略Ｌ字形状にし、前記一方のシェルの開口部に装着するように配置したことを特徴とする電気コネクタ。請求項２として、前記開口部を前記ハウジングの長さの１．５〜２．０倍にしたことを特徴とする請求項１記載の電気コネクタ。請求項３として、前記一方のシェルの長さを、前記開口部の１．５〜３．０倍にしたことを特徴とする請求項１記載の電気コネクタ。請求項４として、一方のシェルと前記コンタクトが固定・配列されたハウジングとを基板に同時に実装できるようにしたことを特徴とする請求項２記載の電気コネクタ等が開示されている。
【発明の開示】
【発明が解決しようとする課題】
【０００３】
従来の電気コネクタでは、図６のようにヒートシンク１８を相手物５０に押し付けているために、垂直方向の位置管理がし難く、コネクタ本体１２の挿入口２８へ相手物を誘い難いといった課題があった。
また、相手物５０と基板２２とのグランドととるために別部品である櫛歯状の接触部６４と基板２２へ接触する湾曲部６６とを有する板状片６２を用いているので、前記接触部６４の弾性力が強いと相手物５０が挿入し難く、かつ、前記接触部６４の弾性力が弱いと前記湾曲部６６の基板２２への接触圧が弱くなり安定したグランドをとることが出来ないといった問題点もあった。
さらに、相手物５０と基板２２とのグランドととるために別部品の板状片６２を用いているので、部品点数が増え、管理工数が増え、コストアップに繋がるといった問題点もあった。
上記特許文献１は、嵌合時のこじりでもシェルが変形・破壊することなく、コネクタ本体と同時実装可能なシェルの構造を有する電気コネクタを提供するこが目的で、相手物が挿入された際の相手物と基板とのグランドをとった構造にはなっていない。
【０００４】
本発明は、このような従来の問題点に鑑みてなされたもので、コストアップに繋がることなく、簡単な構造で相手物５０と基板とのグランドをとることができ、容易に相手物５０をコネクタ本体１２まで誘導することができる電気コネクタ１０を提供せんとするものである。
【課題を解決するための手段】
【０００５】
上記目的は、複数のコンタクト１４と該コンタクト１４が配列・保持されるとともに相手物５０が挿入される挿入口２８を有するハウジング１６とを有するコネクタ本体１２と、該コネクタ本体１２の前記挿入口２８へ相手物５０を誘導する略箱型形状をしたガイドゲージ２０とを備える電気コネクタ１０において、前記ガイドゲージ２０の前記コネクタ本体１２側に、ガイドゲージ２０と一体構造をした複数の基板接触用接触片２４及び相手物接触用接触片２６とを設け、前記基板接触用接触片２４と前記相手物接触用接触片２６とを交互に櫛歯状に配置することにより達成できる。
【０００６】
前記相手物接触用接触片２６の先端を逆ヘの字形状の屈曲させるとともに前記基板接触用接触片２４を基板２２側に傾かせる。
【発明の効果】
【０００７】
以上の説明から明らかなように、本発明の電気コネクタ１０によると、次のような優れた効果が得られる。
（１）複数のコンタクト１４と該コンタクト１４が配列・保持されるとともに相手物５０が挿入される挿入口２８を有するハウジング１６とを有するコネクタ本体１２と、該コネクタ本体１２の前記挿入口２８へ相手物を誘導する略箱型形状をしたガイドゲージと２０を備える電気コネクタ１０において、前記ガイドゲージ２０の前記コネクタ本体１２側に、ガイドゲージ２０と一体構造をした複数の基板接触用接触片及２４び相手物接触用接触片２６とを設け、前記基板接触用接触片２４と前記相手物接触用接触片２６とを交互に櫛歯状に配置しているので、相手物５０をコネクタ本体１２の挿入口２８への誘導性の向上を図ることができ、確実に相手物５０と基板２２とのグランドをとることができ、一体構造のため外れることがなく、安定した接触を得ることができ、部品点数を削減することでコストダウンに繋がる。
（２）前記相手物接触用接触片２６の先端を逆ヘの字形状の屈曲させるとともに前記基板接触用接触片２４を基板２２側に傾かせているので、適切な挿入力を得るように相手物接触用接触片２６の接触力を調整することができ、確実に相手物５０と基板２２とのグランドをとることができる。
【発明を実施するための最良の形態】
【０００８】
図１から図４に基づいて、本発明の電気コネクタの一実施例について説明する。
図１（Ａ）は基板に実装した状態の嵌合口側からみた本発明の電気コネクタの斜視図であり、（Ｂ）は嵌合口側からみた本発明のガイドゲージの斜視図である。図２（Ａ）は基板に実装した状態の本発明の電気コネクタの断面図であり、（Ｂ）は基板に実装され、相手物が挿入された状態の本発明の電気コネクタの断面図であり、（Ｃ）は基板に実装され、相手物が挿入され、相手物がヒートシンクで押された状態の本発明の電気コネクタの断面図である。図３は図２（Ａ）のＤ部拡大図であり、図４はコネクタ本体の斜視図である。
本発明の電気コネクタ１０は、主に複数のコンタクト１４と該コンタクト１４が配列・保持されるとともに相手物５０が挿入される挿入口２８を有するハウジング１６とを有するコネクタ本体１２と、該コネクタ本体１２の前記挿入口２８へ相手物５０を誘導する略箱型形状をしたガイドゲージ２０とを備えている。
【０００９】
図に基づいて本発明のコネクタ１０の構成部品について説明する。
まず、本発明のポイントであるガイドゲージ２０について説明する。このガイドゲージ２０は金属製であり、公知技術のプレス加工によって製作されている。前記ガイドゲージ２０の材質としては、バネ性や導電性や加工性などが要求されるので、黄銅やベリリウム銅やリン青銅等を挙げることができる。
【００１０】
前記ガイドゲージ２０は略箱型形状をしており、前記相手物５０が入る嵌合口３０を形成している。前記ガイドゲージ２０の役割は、基本的には前記コネクタ本体１２まで前記相手物５０を誘導するものである。前記嵌合口３０の大きさは前記相手物５０の大きさを考慮して適宜設計する。前記ガイドゲージ２０には、前記基板２２実装側に前記基板２２に実装するための複数の端子部３４が設けられている。該端子部３４の大きさや形状、数量は、前記ガイドゲージ２０の保持力や接続性等を考慮して適宜設計する。本実施例の場合、１２の端子部３４を設け、実装形態はプレスインタイプにしている。また、前記基板２２の反対側の上面には、ヒートシンク１８が入る大きさの挿入部３２が設けられている。該挿入部３２の大きさは前記ヒートシンク１８が入れば如何なるものでもよいが、前記ガイドゲージ２０の強度を考慮して適宜設計する。ここで、前記ヒートシンク１８について説明すると、前記ヒートシンク１８は前記相手物５０に発生する熱を放熱するために用いられるものである。
【００１１】
図１のように、前記ガイドゲージ２０には、前記コネクタ本体１２側に、前記ガイドゲージ２０と一体構造をした複数の基板接触用接触片２４及び相手物接触用接触片２６とを設けられており、前記基板接触用接触片２４と前記相手物接触用接触片２６とを交互に櫛歯状に配置されている。前記基板接触用接触片２４は前記基板２２と接触するもので、前記相手物接触用接触片２６は前記相手物５０と接触するもので、しいては前記相手物５０と前記基板２２とを接続することにより前記基板２２と前記相手物５０とのグランドをとるものである。前記基板接触用接触片２４と前記相手物接触用接触片２６の大きさや形状は、このような役割や前記ガイドゲージ２０の強度等を考慮して適宜設計している。
【００１２】
本実施例では、前記基板接触用接触片２４を２本、前記相手物接触用接触片２６を３本にし、交互に櫛歯状に配置している。また、前記相手物接触用接触片２６の先端は逆ヘの字形状に屈曲させ、前記基板接触用接触片２４は前記基板２２側に傾かせており、前記基板接触用接触片２４の方が前記相手物接触用接触片２６より１．０〜１．５ｍｍ程度短くなっている。
【００１３】
次に、前記コネクタ本体１２について説明する。前記コネクタ本体１２はハウジング１６と複数のコンタクト１４とを有している。前記ハウジング１６について説明すると、前記ハウジング１６は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
【００１４】
前記ハウジング１６には、前記相手物５０の接触部分が挿入される挿入口２８が設けられている。前記挿入口２８の大きさや形状は、前記相手物５０の接触部分が入り、かつ、該接触部分と前記コンタクト１４とが接続できれば如何なるものでもよく、接続安定性や前記ハウジング１６の強度や前記相手物５０の接触部分の形状等を考慮して適宜設計する。
【００１５】
前記ハウジング１６には、前記コンタクト１４が保持・配列される複数の挿入孔が設けられている。前記コンタクト１４は前記挿入孔に圧入や引っ掛け（ランス）や一体成型等によって保持されている。
【００１６】
次に、前記コンタクト１４について説明すると、前記コンタクト１４は金属製であり、公知技術のプレス加工によって製作されている。前記コンタクト１４の材質としては、バネ性や導電性などが要求されるので、黄銅やベリリウム銅やリン青銅等を挙げることができる。
【００１７】
前記コンタクト１４は、前記相手物５０の接触部分と接触する接触部３６と前記ハウジング１６に保持される保持部と前記基板２２に接続される接続部３８とを有している。本実施例では、前記コンタクト１４は２種類あり、前記接続部３８が前記挿入口２８側とその反対側とに配置されている。前記接続部３８は、本実施例では前記基板２２のパターン配線を考慮して表面実装（ＳＭＴ）タイプにしたが、ディップタイプであってもよい。前記接触部３６の形状としては、前記ハウジング１６の挿入口２８内に突出し、前記相手物５０の接触部分と安定した接触ができるように適宜設計する。
前記接続部３８が前記挿入口２８側に配置された前記接触部３６は前記ハウジング１６の挿入口２８の下側から突出しており、前記接続部３８が前記挿入口２８の反対側に配置された前記接触部３６は前記ハウジング１６の挿入口２８の上側から突出している。
【産業上の利用可能性】
【００１８】
本発明の活用例としては、ファイバチャンネルやギガビットインサート（登録商標）等に使用される電気コネクタに活用され、特に相手物を確実にガイドでき、かつ、簡単な構造で相手物と基板とのグランドをとることができる構造に関するものである。
【図面の簡単な説明】
【００１９】
【図１】（Ａ）  基板に実装した状態の嵌合口側からみた本発明の電気コネクタの斜視図である。（Ｂ）  嵌合口側からみた本発明のガイドゲージの斜視図である。
【図２】（Ａ）  基板に実装した状態の本発明の電気コネクタの断面図である。（Ｂ）  基板に実装され、相手物が挿入された状態の本発明の電気コネクタの断面図である。（Ｃ）  基板に実装され、相手物が挿入され、相手物がヒートシンクで押された状態の本発明の電気コネクタの断面図である。
【図３】図２（Ａ）のＤ部拡大図である。
【図４】コネクタ本体の斜視図である。
【図５】（Ａ）  基板に実装した状態の嵌合口側からみた従来の電気コネクタの斜視図である。（Ｂ）  嵌合口側からみた従来のガイドゲージの斜視図である。
【図６】（Ａ）  基板に実装した状態の従来の電気コネクタの断面図である。（Ｂ）  基板に実装され、相手物が挿入された状態の従来の電気コネクタの断面図である。（Ｃ）  基板に実装され、相手物が挿入され、相手物がヒートシンクで押された状態の従来の電気コネクタの断面図である。
【図７】図６（Ａ）のＥ部拡大図である。
【符号の説明】
【００２０】
１０、６０    電気コネクタ
１２          コネクタ本体
１４          コンタクト
１６          ハウジング
１８          ヒートシンク
２０          ガイドゲージ
２２          基板
２４          基板接触用接触片
２６          相手物接触用接触片
２８          挿入口
３０          嵌合口
３２          挿入部
３４          端子部
３６          接触部
３８          接続部
５０          相手物
６２          板状片
６４          接触部
６６          湾曲部
【図１】
2007080560.tif 000003
【図２】
2007080560.tif 000004
【図３】
2007080560.tif 000005
【図４】
2007080560.tif 000006
【図５】
2007080560.tif 000007
【図６】
2007080560.tif 000008
【図７】
2007080560.tif 000009